(57)【要約】【課題】詰め替え時に内容物をこぼし難くするとともに、意図せず弱化部が破断するのを抑える。【解決手段】詰め替え容器１０は、本容器に詰め替える内容物が収容される容器本体１１と、容器本体１１の口部１１ａから、容器軸Ｏ方向に沿った容器本体１１の外側である上側に向けて延在し、上端部に注出口２５が形成された注出筒１２と、注出口２５を閉塞するとともに、注出口２５の開口周縁部に破断可能な弱化部２７を介して連結された閉塞板１３と、閉塞板１３に立設された操作突片１４と、を備え、注出筒１２は、注出口２５の開口面が容器軸Ｏに対して傾斜する先鋭形状に形成され、注出筒１２には、閉塞板１３における操作突片１４との連結部分を径方向の外側から囲う囲繞壁３１が配設されている。【選択図】図１
2014125266.tif 000002
【特許請求の範囲】
【請求項１】
本容器に詰め替える内容物が収容される容器本体と、
前記容器本体の口部から、容器軸方向に沿った容器本体の外側である上側に向けて延在し、上端部に注出口が形成された注出筒と、
前記注出口を閉塞するとともに、前記注出口の開口周縁部に破断可能な弱化部を介して連結された閉塞板と、
前記閉塞板に立設された操作突片と、を備え、
前記注出筒は、前記注出口の開口面が容器軸に対して傾斜する先鋭形状に形成され、
前記注出筒には、前記閉塞板における前記操作突片との連結部分を径方向の外側から囲う囲繞壁が配設されていることを特徴とする詰め替え容器。
【請求項２】
請求項１記載の詰め替え容器であって、
前記囲繞壁は、前記注出筒を全周にわたって径方向の外側から囲繞するとともに、前記操作突片を全長にわたって径方向の外側から囲繞する筒状に形成されていることを特徴とする詰め替え容器。
【請求項３】
請求項２記載の詰め替え容器であって、
前記囲繞壁は、前記注出筒と一体に、かつ前記注出筒よりも薄肉に形成されていることを特徴とする詰め替え容器。
【請求項４】
請求項２または３に記載の詰め替え容器であって、
前記囲繞壁には、この囲繞壁の上端部を開放可能に閉塞する蓋部が配設されていることを特徴とする詰め替え容器。
【発明の詳細な説明】
【技術分野】
【０００１】
本発明は、詰め替え容器に関する。
【背景技術】
【０００２】
従来から、この種の詰め替え容器として、例えば下記特許文献１に示されるような、内容物が収容される容器本体を備える構成が知られている。この容器本体には、容器本体の内部と外部とを連通する注出口が形成されており、この注出口には、注出口を閉塞する蓋体が弱化部を介して連設されている。
この容器本体では、弱化部を破断し蓋体を容器本体から離脱させて注出口を開放した後、容器本体内の内容物を注出口から注出し、内容物の詰め替え先である本容器に注入することで、内容物の詰め替えを行う。
【先行技術文献】
【特許文献】
【０００３】
【特許文献１】特開２００５−６７７０５号公報
【発明の概要】
【発明が解決しようとする課題】
【０００４】
ところで、前記従来の詰め替え容器には、詰め替え時に内容物をこぼし難くすること、および不意に加えられた外力によって弱化部が破断するのを抑えることについて改善の余地がある。
【０００５】
本発明は、前述した事情に鑑みてなされたものであって、詰め替え時に内容物をこぼし難くするとともに、意図せず弱化部が破断するのを抑えることができる詰め替え容器を提供することを目的とする。
【課題を解決するための手段】
【０００６】
前記課題を解決するために、本発明は以下の手段を提案している。
本発明に係る詰め替え容器は、本容器に詰め替える内容物が収容される容器本体と、前記容器本体の口部から、容器軸方向に沿った容器本体の外側である上側に向けて延在し、上端部に注出口が形成された注出筒と、前記注出口を閉塞するとともに、前記注出口の開口周縁部に破断可能な弱化部を介して連結された閉塞板と、前記閉塞板に立設された操作突片と、を備え、前記注出筒は、前記注出口の開口面が容器軸に対して傾斜する先鋭形状に形成され、前記注出筒には、前記閉塞板における前記操作突片との連結部分を径方向の外側から囲う囲繞壁が配設されていることを特徴とする。
【０００７】
この発明では、使用者は、操作突片を操作することで、弱化部を破断させながら閉塞板を引き上げ、注出口を開放して詰め替え容器を開封する。
その後、例えば注出筒のうち、容器軸方向に最も長い部分である最長部分の上端部を、本容器の注入口の開口端縁の上方に配置した状態でこの詰め替え容器を傾け、容器本体内の内容物を注出口から注出して注入口から本容器に注入する。
【０００８】
この詰め替え容器によれば、注出筒が、前述のような先鋭形状に形成されているので、内容物を詰め替えるに際し、注出筒の最長部分の上端部を、本容器の注入口の開口端縁の上方に配置した状態で、詰め替え容器を傾けることで、注出口に空気流入路を確保しながらこの注出口から内容物を注出させることができる。これにより、容器本体内の内容物を注出口から円滑に注出させることが可能になり、内容物をこぼし難くすることができる。
また、注出筒に前記囲繞壁が配設されているので、閉塞板における操作突片との連結部分に、不意に外力が加えられようとしたときに、この外力を囲繞壁により受け止めさせることができる。これにより、弱化部が不用意に破断されるのを抑制して、意図せず詰め替え容器が開封されるのを抑えることができる。
【０００９】
また、前記囲繞壁は、前記注出筒を全周にわたって径方向の外側から囲繞するとともに、前記操作突片を全長にわたって径方向の外側から囲繞する筒状に形成されていてもよい。
【００１０】
この場合、囲繞壁が、注出筒を全周にわたって径方向の外側から囲繞するとともに、操作突片を全長にわたって径方向の外側から囲繞する筒状に形成されているので、弱化部および操作突片の両方を全域にわたって径方向の外側から囲繞することができる。これにより、弱化部が不用意に破断されるのを確実に抑制することができるとともに、この詰め替え容器の外観性を確保することができる。
【００１１】
また、前記囲繞壁は、前記注出筒と一体に、かつ前記注出筒よりも薄肉に形成されていてもよい。
【００１２】
この場合、囲繞壁が、注出筒と一体に、かつ注出筒よりも薄肉に形成されているので、注出筒を全周にわたって径方向の外側から囲繞するとともに、操作突片を全長にわたって径方向の外側から囲繞するような構成においても、囲繞壁のうち、注出筒に連結されていない非連結部分から囲繞壁の内部を半透過させることが可能になり、内容物を本容器内に詰め替える際に、例えば注出口の開口面が傾斜する向きを囲繞壁の上側から視認する等しなくても、注出筒の最長部分を径方向の外側から判別し易くすることができる。これにより、この詰め替え容器の取り扱い性を向上させることができる。
【００１３】
また、前記囲繞壁には、この囲繞壁の上端部を開放可能に閉塞する蓋部が配設されていてもよい。
【００１４】
この場合、囲繞壁に前記蓋部が配設されているので、囲繞壁内を清浄な状態に保持し易くできるとともに、囲繞壁の上側から操作突片に不意に外力が加えられようとしたときに、この外力を蓋部に受け止めさせることができる。
なお蓋部が、囲繞壁の上端部を単に開放可能に閉塞するのではなく開閉可能に閉塞し、囲繞壁の上端部を開放した後、再度閉塞できる場合には、注出口を開放した後、この蓋部により囲繞壁の上端部を閉塞することで、容器本体内の内容物がこの詰め替え容器の外部に意図せず漏出するのを抑制することもできる。
また蓋部に、囲繞壁の径方向への変形を規制する規制手段が設けられている場合には、径方向の外側からの外力を受け止めた囲繞壁が、意図せず径方向の内側に向けて変形することで操作突片や閉塞板を押圧するのを抑えることが可能になり、弱化部が不用意に破断されるのを確実に抑制することができる。
【発明の効果】
【００１５】
本発明に係る詰め替え容器によれば、詰め替え時に内容物をこぼし難くするとともに、意図せず弱化部が破断するのを抑えることができる。
【図面の簡単な説明】
【００１６】
【図１】本発明の第１実施形態に係る詰め替え容器の要部を示す部分縦断面図である。
【図２】図１に示す詰め替え容器の上面図である。
【図３】図１に示す詰め替え容器を構成する注出筒および囲繞壁について、図１に示Ａ−Ａ線に相当する断面を示す横断面図である。
【図４】図１に示す詰め替え容器を構成する注出筒および囲繞壁について、図１に示Ｂ−Ｂ線に相当する断面を示す横断面図である。
【図５】図１に示す詰め替え容器の作用を説明する部分縦断面図である。
【図６】本発明の第２実施形態に係る詰め替え容器の要部を示す部分縦断面図である。
【発明を実施するための形態】
【００１７】
（第１実施形態）
以下、図面を参照し、本発明の第１実施形態に係る詰め替え容器を説明する。
図１および図２に示すように、詰め替え容器１０は、容器本体１１と、注出筒１２と、閉塞板１３と、操作突片１４と、を備えている。
ここで、容器本体１１は有底筒状に形成され、容器本体１１および注出筒１２の各中心軸線は、共通軸上に位置している。以下では、この共通軸を容器軸Ｏといい、この容器軸Ｏに沿った注出筒１２側を上側、容器本体１１側を下側という。また、容器軸Ｏに直交する方向を径方向といい、容器軸Ｏ回りに周回する方向を周方向という。
【００１８】
容器本体１１には、本容器Ａ（図５参照）に詰め替える内容物が収容される。
注出筒１２は、容器本体１１の口部１１ａから上側（容器軸方向に沿った容器本体の外側）に向けて延在している。注出筒１２は円筒状に形成されている。注出筒１２の下端部には、装着筒２１が一体的に形成されていて、注出筒１２は、この装着筒２１を介して容器本体１１の口部１１ａに装着されている。
【００１９】
装着筒２１は、本体筒部２２と、フランジ部２３と、シール筒部２４と、を備えている。本体筒部２２は、上端部同士が互いに連結された二重筒状に形成されている。本体筒部２２は、容器本体１１の口部１１ａに外装されている。フランジ部２３は、本体筒部２２の上端部から径方向の内側に向けて突出する環状に形成されている。フランジ部２３は、容器本体１１の口部１１ａの開口端縁上に位置している。シール筒部２４は、フランジ部２３の内周縁部から下側（容器軸方向に沿った容器本体の内側）に向けて延在している。シール筒部２４は、容器本体１１の口部１１ａ内に液密に嵌合している。この装着筒２１では、フランジ部２３の内周縁部に、前記注出筒１２の下端部が連結されている。
【００２０】
注出筒１２において上側に向けて開口する開口端部である上端部には、注出口２５が形成されている。注出筒１２の上端部には、径方向の内側に向けて環状の隔壁部２６が突設されていて、この隔壁部２６の内部が前記注出口２５となっている。
ここで注出筒１２は、注出口２５の開口面が容器軸Ｏに対して傾斜する先鋭形状に形成されている。図３および図４に示すように、注出筒１２は、上側に向かうに従い漸次、周方向の長さが短くなっている。
【００２１】
図１および図２に示すように、注出筒１２の上端開口縁は、容器軸Ｏと同軸に配置されるとともに容器軸Ｏに対して傾斜する環状に形成されていて、この上端開口縁のうち、最も上側に位置する最上部と最も下側に位置する最下部とは、容器軸Ｏを挟んで対向している。以下、この上端開口縁の最上部および最下部の両方を通る方向を前後方向Ｄといい、前後方向Ｄに沿って最上部側を前側といい、最下部側を後側という。この注出筒１２では、前側部分の上端開口縁が前記最上部になるとともに、後側部分の上端開口縁が前記最下部になっており、前側部分が、容器軸Ｏ方向に最も長い部分である最長部分となっている。
【００２２】
容器軸Ｏ方向および前後方向Ｄの両方向に直交する方向から見たこの詰め替え容器１０の側面視において、隔壁部２６は、容器軸Ｏに対して直線状に傾斜しており、前側から後側に向かうに従い漸次、下方に向けて延在している。これにより、注出口２５の開口面が容器軸Ｏに対して傾斜させられている。
閉塞板１３は、注出口２５を閉塞している。閉塞板１３は、注出口２５内に配置され、注出口２５の形状に倣って形成されている。閉塞板１３は、注出口２５の開口周縁部に破断可能な弱化部２７を介して連結されている。弱化部２７は、閉塞板１３の全周にわたって延在している。
【００２３】
操作突片１４は、閉塞板１３に立設されている。操作突片１４は、閉塞板１３において容器軸Ｏよりも後側に位置する後側部分に立設されている。操作突片１４は、いわゆるプルリングにより構成されている。操作突片１４は、指等を掛けることが可能なリング部２８と、リング部２８と閉塞板１３とを連結する支柱部２９と、支柱部２９を補強する補強リブ３０と、を備えている。
【００２４】
リング部２８は、注出筒１２の上端開口縁の前記最上部よりも下側に位置していて、この操作突片１４は、注出筒１２の容器軸Ｏ方向の内側に位置している。リング部２８は、注出筒１２の径方向の内側に位置している。支柱部２９は、閉塞板１３の後側部分と、リング部２８の後端部と、を連結している。補強リブ３０は、閉塞板１３の後側部分に立設されている。補強リブ３０は、リング部２８に、このリング部２８の前側から連結されている。
【００２５】
そして本実施形態では、注出筒１２には、閉塞板１３における操作突片１４との連結部分を径方向の外側から囲う囲繞壁３１が配設されている。囲繞壁３１は、注出筒１２を周方向の全周にわたって径方向の外側から囲繞している。囲繞壁３１は、操作突片１４を容器軸Ｏ方向の全長にわたって径方向の外側から囲繞している。囲繞壁３１は、容器軸Ｏと同軸の筒状に形成され、囲繞壁３１の下端部は、フランジ部２３に連結されている。囲繞壁３１は、注出筒１２と一体に形成され、囲繞壁３１の内周面と注出筒１２の外周面とは連結されている。囲繞壁３１は、注出筒１２よりも薄肉に形成されている。図示の例では、囲繞壁３１は、閉塞板１３や隔壁部２６よりも薄肉に形成されている。
【００２６】
前記詰め替え容器１０では、使用者は、操作突片１４を操作し、例えば前記リング部２８に指をかけて引き上げることで、弱化部２７を破断させながら閉塞板１３を注出口２５から引き抜き、注出口２５を開放して詰め替え容器１０を開封する。
その後、図５に示すように、例えば注出筒１２の前側部分の上端部を、本容器Ａの注入口Ａ１の開口端縁の上方に配置した状態でこの詰め替え容器１０を傾け、容器本体１１内の内容物を注出口２５から注出して注入口Ａ１から本容器Ａに内容物を注入する。
【００２７】
以上説明したように、本実施形態に係る詰め替え容器１０によれば、注出筒１２が、前述のような先鋭形状に形成されているので、内容物を詰め替えるに際し、注出筒１２の前側部分の上端部を、本容器Ａの注入口Ａ１の開口端縁の上方に配置した状態で、詰め替え容器１０を傾けることで、注出口２５に空気流入路を確保しながらこの注出口２５から内容物を注出させることができる。これにより、容器本体１１内の内容物を注出口２５から円滑に注出させることが可能になり、内容物をこぼし難くすることができる。
【００２８】
また、注出筒１２に前記囲繞壁３１が配設されているので、閉塞板１３における操作突片１４との連結部分に、不意に外力が加えられようとしたときに、この外力を囲繞壁３１により受け止めさせることができる。これにより、弱化部２７が不用意に破断されるのを抑制して、意図せず詰め替え容器１０が開封されるのを抑えることができる。
【００２９】
また囲繞壁３１が、注出筒１２を全周にわたって径方向の外側から囲繞するとともに、操作突片１４を全長にわたって径方向の外側から囲繞する筒状に形成されているので、弱化部２７および操作突片１４の両方を全域にわたって径方向の外側から囲繞することができる。これにより、弱化部２７が不用意に破断されるのを確実に抑制することができるとともに、この詰め替え容器１０の外観性を確保することができる。
【００３０】
また囲繞壁３１が、注出筒１２と一体に、かつ注出筒１２よりも薄肉に形成されているので、本実施形態のように、注出筒１２を全周にわたって径方向の外側から囲繞するとともに、操作突片１４を全長にわたって径方向の外側から囲繞するような構成においても、囲繞壁３１のうち、注出筒１２に連結されていない非連結部分から囲繞壁３１の内部を半透過させることが可能になり、内容物を本容器Ａ内に詰め替える際に、例えば注出口２５の開口面が傾斜する向きを囲繞壁３１の上側から視認する等しなくても、注出筒１２の前側部分を径方向の外側から判別し易くすることができる。これにより、この詰め替え容器１０の取り扱い性を向上させることができる。
【００３１】
（第２実施形態）
次に、本発明に係る詰め替え容器の第２実施形態を、図６を参照して説明する。なお、この第２実施形態においては、第１実施形態における構成要素と同一の部分については同一の符号を付し、その説明を省略し、異なる点についてのみ説明する。
【００３２】
図６に示すように、本実施形態の詰め替え容器４０は、蓋部４１を備えている。蓋部４１は、囲繞壁３１に配設されている。蓋部４１は、囲繞壁３１の上端部を開閉可能に閉塞している。蓋部４１は、表裏面が容器軸Ｏ方向を向く板状に形成されていて、囲繞壁３１の上端開口縁上に配置されている。蓋部４１は、囲繞壁３１にヒンジ部４２を介して連結されている。ヒンジ部４２は、囲繞壁３１および蓋部４１の前側部分同士を連結している。蓋部４１は、図６に示す二点鎖線のように、ヒンジ部４２回りに前側に回動可能とされている。蓋部４１は、ヒンジ部４２回りの前側に回動することで、囲繞壁３１の上端部を開放する。なおこの詰め替え容器４０では、注出口２５を開放するに際し、蓋部４１を操作して囲繞壁３１の上端部を開放した状態で、操作突片１４を引き上げる。
【００３３】
ここで蓋部４１には、囲繞壁３１の径方向への変形を規制する規制手段４３が設けられている。規制手段４３は、囲繞壁３１内に嵌合する筒状に形成され、囲繞壁３１を径方向の内側から補強している。規制手段４３の下端部は、下側に向けて凸となる先鋭形状に形成されている。規制手段４３は、下側に向かうに従い漸次、周方向の長さが短くなっている。規制手段４３の下端開口縁は、容器軸Ｏに対して傾斜する環状に形成されている。前記側面視において、規制手段４３の下端開口縁は、容器軸Ｏに対して直線状に傾斜していて、前側から後側に向かうに従い漸次、下側に向けて延在している。
【００３４】
以上説明したように、本実施形態に係る詰め替え容器４０によれば、囲繞壁３１に前記蓋部４１が配設されているので、囲繞壁３１内を清浄な状態に保持し易くできるとともに、囲繞壁３１の上側から操作突片１４に不意に外力が加えられようとしたときに、この外力を蓋部４１に受け止めさせることができる。
【００３５】
なお本実施形態のように、蓋部４１が、囲繞壁３１の上端部を単に開放可能に閉塞するのではなく開閉可能に閉塞し、囲繞壁３１の上端部を開放した後、再度閉塞できる場合には、注出口２５を開放した後、この蓋部４１により囲繞壁３１の上端部を閉塞することで、容器本体１１内の内容物がこの詰め替え容器４０の外部に意図せず漏出するのを抑制することもできる。
【００３６】
また本実施形態のように、蓋部４１に、囲繞壁３１の径方向への変形を規制する規制手段４３が設けられている場合には、径方向の外側からの外力を受け止めた囲繞壁３１が、意図せず径方向の内側に向けて変形することで操作突片１４や閉塞板１３を押圧するのを抑えることが可能になり、弱化部２７が不用意に破断されるのを確実に抑制することができる。
【００３７】
なお、規制手段４３およびヒンジ部４２はなくてもよい。
また本実施形態では、蓋部４１が、囲繞壁３１の上端部を開閉可能に閉塞するものとしたが、これに限られず、蓋部が、囲繞壁の上端部を単に開放可能に閉塞していて、囲繞壁の上端部を開放した後、閉塞不能に構成されていてもよい。
さらに、蓋部４１は本実施形態に示した構成に限られない。例えば蓋部を、フィルム状に形成し、囲繞壁の上端開口縁に固着するように構成してもよい。
【００３８】
なお、本発明の技術的範囲は前記実施形態に限定されるものではなく、本発明の趣旨を逸脱しない範囲において種々の変更を加えることが可能である。
例えば、容器本体１１や本容器Ａをスクイズ変形可能に薄肉に形成し、スクイズ変形させながら詰め替え作業を行っても構わない。
【００３９】
また前記実施形態では、注出筒１２の下端部に装着筒２１を一体的に形成し、該装着筒２１を介して容器本体１１の口部１１ａに対して注出筒１２を着脱可能に構成したが、これに限られない。例えば容器本体の口部と注出筒とを一体形成しても構わない。
【００４０】
また前記実施形態では、囲繞壁３１が、注出筒１２と一体に形成されているものとしたが、一体に形成されていなくてもよい。
さらに前記実施形態では、囲繞壁３１が、注出筒１２よりも薄肉に形成されているものとしたが、薄肉に形成されていなくてもよい。
【００４１】
また前記実施形態では、囲繞壁３１が、操作突片１４を全長にわたって径方向の外側から囲繞しているものとしたが、これに限られない。例えば操作突片が、囲繞壁から上側に突出していてもよい。
さらに前記実施形態では、囲繞壁３１が、注出筒１２を全周にわたって径方向の外側から囲繞するものとしたが、これに限られず、囲繞壁を、閉塞板における操作突片との連結部分を径方向の外側から囲う他の構成に適宜変更してもよい。例えば囲繞壁が、筒状に形成されておらず、注出筒の周方向の一部分を径方向の外側から囲繞していてもよい。
【００４２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４３】
１０、４０  詰め替え容器
１１  容器本体
１１ａ  口部
１２  注出筒
１３  閉塞板
１４  操作突片
２１  装着筒
２５  注出口
２７  弱化部
３１  囲繞壁
４１  蓋部
Ａ  本容器
Ｏ  容器軸
【図１】
2014125266.tif 000003
【図２】
2014125266.tif 000004
【図３】
2014125266.tif 000005
【図４】
2014125266.tif 000006
【図５】
2014125266.tif 000007
【図６】
2014125266.tif 000008